【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
３＜ＮであるＮ次元の第１の信号形式に従う画像データを、画像出力装置で使用する各色の色剤量を示す第２の信号形式に従う画像データに分解する画像処理装置であって、
前記第１の信号形式に従う入力画像データを取得する入力手段と、
前記入力画像データを、３＜Ｍ≦ＮであるＭ次元の第３の信号形式に変換する変換手段と、
入力値を前記第３の信号形式とし、出力値を前記第２の信号形式とするＭ次元の色分解ＬＵＴを用いて、前記第３の信号形式に変換された前記入力画像データを前記第２の信号形式に分解する色分解手段と、を有し、
前記入力画像データにおける画素分布に対し、前記第３の信号形式における各成分の相関が、前記第１の信号形式における各成分の相関よりも低いことを特徴とする画像処理装置。
【請求項２】
前記変換手段は、前記入力画像データを主成分分析して第１乃至第Ｍ主成分を得ることによって、Ｍ次元の前記第３の信号形式への変換を行うことを特徴とする請求項１に記載の画像処理装置。
【請求項３】
次元数Ｍは次元数Ｎに等しいことを特徴とする請求項１または２に記載の画像処理装置。
【請求項４】
前記画像出力装置で記録媒体上に出力された色票群の色情報を前記第１の信号形式で取得する色票入力手段と、
前記色票群と、前記色票入力手段で取得した該色票群の色情報との対応関係を示すプリンタモデルを作成するモデル作成手段と、
前記プリンタモデルを用いて、前記第３の信号形式に変換された前記入力画像データに基づいて前記色分解ＬＵＴを作成するＬＵＴ作成手段と、
をさらに有することを特徴とする請求項１乃至３のいずれか１項に記載の画像処理装置。
【請求項５】
前記ＬＵＴ作成手段は、
前記第３の信号形式に従う色空間において、少なくとも前記第３の信号形式に変換された前記入力画像データの全画素を包含するように前記色分解ＬＵＴの格子点配置を決定する配置決定手段と、
前記色分解ＬＵＴの各格子点について、前記第３の信号形式に従う値を前記第１の信号形式に従う値に変換する逆変換手段と、
前記逆変換手段で変換された前記第１の信号形式に従う値に対応する前記第２の信号形式に従う値を、前記プリンタモデルに基づいて決定する出力値決定手段と、
を有することを特徴とする請求項４に記載の画像処理装置。
【請求項６】
前記配置決定手段で決定された前記色分解ＬＵＴの各格子点について、前記第３の信号形式に変換された前記入力画像データに対して該色分解ＬＵＴによる色分解を行った際に該格子点が使用されるか否かを判定する判定手段をさらに有し、
前記逆変換手段は、前記判定手段で使用されると判定された格子点について、前記第３の信号形式に従う値を前記第１の信号形式に従う値に変換することを特徴とする請求項５に記載の画像処理装置。
【請求項７】
色票の分光特性を測定可能な測定手段と、
前記画像出力装置で記録媒体上に出力された第１の色票群と、前記測定手段で測定した該第１の色票群の分光特性との対応関係を示すプリンタモデルを作成するモデル作成手段と、
第２の色票群の色情報を前記第１の信号形式で取得する色票入力手段と、
前記測定手段で測定した前記第２の色票群の分光特性と、前記色票入力手段で取得した該第２の色票群の色情報との対応関係に基づいて、前記第１の信号形式に従う値を分光反射率に変換するための変換式を算出する算出手段と、
前記プリンタモデルおよび前記変換式を用いて、前記第３の信号形式に変換された前記入力画像データに基づいて前記色分解ＬＵＴを作成するＬＵＴ作成手段と、
をさらに有することを特徴とする請求項１乃至３のいずれか１項に記載の画像処理装置。
【請求項８】
色票の分光特性を測定可能な測定手段と、
前記画像出力装置で記録媒体上に出力された第１の色票群の色情報を前記第１の信号形式で取得する色票入力手段と、
前記第１の色票群と、前記測定手段で測定した該第１の色票群の分光特性との対応関係を示すプリンタモデルを作成するモデル作成手段と、
前記測定手段で測定した第２の色票群の分光特性と、前記色票入力手段で取得した該第２の色票群の色情報との対応関係に基づいて、前記第１の信号形式に従う値を分光反射率に変換するための変換式を算出する算出手段と、
前記プリンタモデルおよび前記変換式を用いて、前記第３の信号形式に変換された前記入力画像データに基づいて前記色分解ＬＵＴを作成するＬＵＴ作成手段と、
をさらに有することを特徴とする請求項１乃至３のいずれか１項に記載の画像処理装置。
【請求項９】
前記ＬＵＴ作成手段は、
前記第３の信号形式に従う色空間において、少なくとも前記第３の信号形式に変換された前記入力画像データの全画素を包含するように前記色分解ＬＵＴの格子点配置を決定する配置決定手段と、
前記色分解ＬＵＴの各格子点について、前記第３の信号形式に従う値を前記第１の信号形式に従う値に変換する逆変換手段と、
前記逆変換手段で変換された前記第１の信号形式に従う値に対し、前記変換式に基づいてその分光反射率を推定する分光反射率の推定手段と、
該推定された分光反射率に対応する前記第２の信号形式に従う値を、前記プリンタモデルに基づいて決定する出力値決定手段と、
を有することを特徴とする請求項８に記載の画像処理装置。
【請求項１０】
コンピュータを、請求項１乃至９のいずれか１項に記載の画像処理装置の各手段として機能させるためのプログラム。
【請求項１１】
３＜ＮであるＮ次元の第１の信号形式に従う画像データを、画像出力装置で使用する各色の色剤量を示す第２の信号形式に従う画像データに分解する画像処理方法であって、
前記第１の信号形式に従う入力画像データを取得する入力工程と、
前記入力画像データを、３＜Ｍ≦ＮであるＭ次元の第３の信号形式に変換する変換工程と、
入力値を前記第３の信号形式とし、出力値を前記第２の信号形式とするＭ次元の色分解ＬＵＴを用いて、前記第３の信号形式に変換された前記入力画像データを前記第２の信号形式に分解する色分解工程と、を有し、
前記入力画像データにおける画素分布に対し、前記第３の信号形式における各成分の相関が、前記第１の信号形式における各成分の相関よりも低いことを特徴とする画像処理方法。
【手続補正２】
【補正対象書類名】明細書
【補正対象項目名】００２１
【補正方法】変更
【補正の内容】
【００２１】
すなわち、３＜ＮであるＮ次元の第１の信号形式に従う画像データを、画像出力装置で使用する各色の色剤量を示す第２の信号形式に従う画像データに分解する画像処理装置であって、前記第１の信号形式に従う入力画像データを取得する入力手段と、前記入力画像データを、３＜Ｍ≦ＮであるＭ次元の第３の信号形式に変換する変換手段と、入力値を前記第３の信号形式とし、出力値を前記第２の信号形式とするＭ次元の色分解ＬＵＴを用いて、前記第３の信号形式に変換された前記入力画像データを前記第２の信号形式に分解する色分解手段と、を有し、前記入力画像データにおける画素分布に対し、前記第３の信号形式における各成分の相関が、前記第１の信号形式における各成分の相関よりも低いことを特徴とする。
【手続補正３】
【補正対象書類名】明細書
【補正対象項目名】００６６
【補正方法】変更
【補正の内容】
【００６６】
●システム構成
図８は、第２実施形態における画像変換システムの構成を示すブロック図である。同図において、１２０１〜１２１７までの各ブロックの機能は、上述した第１実施形態で図２に示した３０１〜３１７までの各ブロックと同様であるため、説明を省略する。